(57)【要約】【課題】簡単な構造で傘布の面積を有効に利用することができる洋傘の構造を得る。【解決手段】傘布１００の骨格となる複数の主骨１が先端に固定される上軸２１と、把持部１０が固定される下軸２２とを連結金具２３により連結されて成る中心軸２０と、この中心軸２０上をスライド移動可能とし前記各主骨１に連結する各副骨２の基端が連結された副骨可動スライド３０を有する洋傘であって、前記副骨可動スライド３０は、上軸側副骨可動スライド３１と下軸側副骨可動スライド３２とを可動連結するとともに、前記主骨１及び副骨２の連結構造により中心軸２０の反上端側に付勢された状態で中心軸に退避可能なストッパーレバー２８により固定可能とされ、前記連結金具２３は、下軸２２内壁に固定するとともに、上軸２１収納側に傾斜部２４を形成し、上軸２１内中央部と前記傾斜部２４先端部を懸架する弾性体（第１スプリング２５）を装着して成る。【選択図】    図１
2006051326.tif 000002
【特許請求の範囲】
【請求項１】
傘布の骨格となる複数の主骨が先端に固定される上軸と、把持部が下端に固定される下軸とを前記上軸及び下軸内に嵌合する連結金具により連結されて成る中心軸と、この中心軸上をスライド移動可能とし前記各主骨に連結する各副骨の基端が連結された副骨可動スライドを有する洋傘であって、
前記副骨可動スライドは、互いに分離された上軸側副骨可動スライドと下軸側副骨可動スライドとを可動連結して成るとともに、前記主骨及び副骨の連結構造により中心軸の反上端側に付勢された状態で中心軸に退避可能なストッパーレバーにより固定可能とし、
前連結金具は、円柱状に形成されて中心軸内壁に固定するとともに、上軸収納側に傾斜部を形成し、
前記下軸側副骨可動スライドの前記傾斜部と反対側位置に、楔状の切込溝を形成し、
上軸内中央部と前記傾斜部先端部を懸架する弾性体を装着して成る
ことを特徴とする洋傘。
【請求項２】
傘布の骨格となる複数の主骨が先端に固定される上軸と、把持部が下端に固定される下軸とを前記上軸及び下軸内に嵌合する連結金具により連結されて成る中心軸と、この中心軸上をスライド移動可能とし前記各主骨に連結する各副骨の基端が連結された副骨可動スライドを有する洋傘であって、
前記副骨可動スライドは、互いに分離された上軸側副骨可動スライドと下軸側副骨可動スライドとを可動連結して成るとともに、前記主骨及び副骨の連結構造により中心軸の反上端側に付勢された状態で固定可能とし、
前記連結金具は、円柱状に形成されて下軸内壁に固定するとともに、上軸収納側に傾斜部を形成し、
前記下軸側副骨可動スライドの前記傾斜部と反対側位置に、楔状の切込溝を形成し、
上軸内中央部と前記傾斜部先端部を懸架する弾性体を装着して成る
ことを特徴とする洋傘。
【請求項３】
前記切込溝形成側における前記上軸側副骨可動スライドと前記下軸側副骨可動スライドを懸架するスプリングを装着して成る請求項２に記載の洋傘。
【請求項４】
前記把持部において、前記上軸の傾斜方向先に、突起部又は折曲部を形成した請求項１又は請求項２に記載の洋傘。
【請求項５】
上軸内中央部と傾斜部先端部を懸架する弾性体に代えて、上軸内に装着されたコイルスプリングと、該コイルスプリングにより常時付勢され前記連結金具の傾斜部に当接する球状体を配置した請求項１又は請求項２に記載の洋傘。
【請求項６】
前記副骨可動スライドの下軸側副骨可動スライドに前記ストッパーレバーが嵌合可能な孔部を形成し、主骨及び副骨の連結構造により中心軸の反上端側に付勢された状態でストッパーレバーが前記孔部に嵌合することにより、上軸側副骨可動スライド及び下軸側副骨可動スライドが垂直状態で固定可能とした請求項１に記載の洋傘。
【発明の詳細な説明】
【技術分野】
【０００１】
本発明は、洋傘の傘布面積を有効に利用するための構造に係り、更に詳しくは、洋傘の中心軸を上側において傾斜させ、洋傘の使用者を傘布の中央に位置させることを可能とした洋傘の構造に関する。
【０００２】
従来の洋傘は、傘を開いた際に略円形状の傘布の中央に中心軸を設けた構造となっている。そして、使用者が傘をさす場合、洋傘の中心軸の先端に装着された把持部を手で持つことで行われる。例えば、使用者が右手で中心軸が鉛直方向に沿うように把持部を持つ場合、図１１に示すように、使用者Ａは傘布１００の中心から後側で左側位置を占有するため、傘布の前側及び右側の空間を有効に利用できていない。すなわち、使用者において、把持部から遠い左肩部分が雨に濡れる等の問題点があった。
【０００３】
また、傘下の雨がかからない空間を有効に利用するため、傘布を開いた状態において、傘布に対して把持部を偏心させた構造を有する洋傘が提案されている。この洋傘によれば、図１２に示すように、傘を開いた状態において、上ろくろ１０１の軸に対して把持部が装着される軸１０２が距離Ｋだけ偏心するように、傘を閉じた状態においては偏心距離Ｋがなくなるような機構を有している（特許文献１参照）。
【特許文献１】実開平６−８６５４６号
【発明の開示】
【発明が解決しようとする課題】
【０００４】
しかしながら上記構造によれば、把持部が装着されている軸１０２自体を偏心させるため、構造が複雑化する一方、傘布の中心に軸が配置されていないために強度が劣るという問題点があった。また、傘布１００に対して軸１０２が偏心しているため、通常の構造に慣れている使用者にとっては、使用に際して違和感があるという問題点があった。
【０００５】
本発明は上記実情に鑑みてなされたもので、中心軸を傾斜させるという簡単な構造で傘布の面積を有効に利用することができる洋傘の構造を提供することを目的としている。
【課題を解決するための手段】
【０００６】
上記目的を達成するため本発明（請求項１）は、傘布１００の骨格となる複数の主骨１が先端に固定される上軸２１と、把持部１０が下端に固定される下軸２２とを前記上軸２１及び下軸２２内に嵌合する連結金具２３により連結されて成る中心軸２０と、この中心軸２０上をスライド移動可能とし前記各主骨１に連結する各副骨２の基端が連結された副骨可動スライド３０を有する洋傘であって、次の構成を含むことを特徴としている。
前記副骨可動スライド３０は、互いに分離された上軸側副骨可動スライド３１と下軸側副骨可動スライド３２とに分離され、可動連結して構成している。また、副骨可動スライド３０は、前記主骨１及び副骨２の連結構造により中心軸２０の反上端側に付勢された状態で中心軸に退避可能なストッパーレバー２８により固定可能としている。
前記連結金具２３は、円柱状に形成されて下軸２２内壁に固定するとともに、上軸２１収納側に傾斜部２４を形成している。
前記下軸側副骨可動スライド３２の前記傾斜部２４と反対側位置に、楔状の切込溝３３を形成する。
上軸２１内中央部と前記傾斜部２４先端部を懸架する弾性体（第１スプリング２５）が装着されている。
【０００７】
請求項２は、請求項１と異なり、副骨可動スライド３０が主骨１及び副骨２の連結構造により中心軸２０上端側に付勢された状態で固定可能とする構造であり、請求項１のストッパーレバー２８を不要とするものである。
【０００８】
請求項３は、請求項２に記載の洋傘において、前記切込溝３３形成側における前記上軸側副骨可動スライド３１と前記下軸側副骨可動スライド３２を懸架するスプリング（第２スプリング）を装着して成ることを特徴としている。
【０００９】
請求項４は、請求項１又は請求項２に記載の洋傘の前記把持部１０において、前記上軸２１に対する前記下軸２２の傾斜方向先に、突起部１１又は折曲部１２を形成したことを特徴としている。
【００１０】
請求項５は、請求項１又は請求項２に記載の洋傘において、上軸内中央部と傾斜部先端部を懸架する弾性体に代えて、上軸内に装着されたコイルスプリング８０と、該コイルスプリング８０により常時付勢され前記連結金具２３の傾斜部２４に当接する球状体８１を配置したことを特徴としている。
【００１１】
請求項６は、請求項１に記載の洋傘において、前記副骨可動スライド３０の下軸側副骨可動スライド３２に前記ストッパーレバー２８が嵌合可能な縦孔部３８を形成し、主骨１及び副骨２の連結構造により中心軸の反上端側に付勢された状態でストッパーレバー２８が前記縦孔部３８に嵌合することにより、上軸側副骨可動スライド３１及び下軸側副骨可動スライド３２が垂直状態で固定可能としたことを特徴としている。
【発明の効果】
【００１２】
本発明の洋傘によれば、上軸２１と下軸２２とが連結金具２３により連結されて成る中心軸２０と、この中心軸上をスライド移動可能とする副骨可動スライド３０を有し、前記副骨可動スライド３０を上軸側副骨可動スライド３１と下軸側副骨可動スライド３２とで構成し、連結金具２３の上軸収納側に傾斜部２４が形成されているので、第１スプリング２５（弾性体）の作用により、中心軸２０を構成する上軸２１を下軸２２に対して傾斜させて固定することができ、洋傘使用時において把持部１０位置に対して傘布１００の中心位置を偏心させ、洋傘の傘布面積を有効に使用することができる。
【発明を実施するための最良の形態】
【００１３】
本発明に係る洋傘の実施の形態の一例について、図面を参照しながら説明する。
洋傘は、図１に示すように、複数の主骨１に貼着された傘布１００と、放射状主骨１の中心に一端が装着され他端に把持部１０が装着された中心軸２０と、中心軸２０上方に形成された折曲部４０（折曲中心Ｘ）を有して構成されている。
【００１４】
傘布１００は図２に示すように、平面形状を略円形となし、中心から放射状に形成された複数の主骨１に貼着されている。各主骨１の中心付近には、中心軸２０上方の折曲部４０とを連結する副骨２が装着されている。主骨１の中心部と副骨２とは、主骨中心部に対して副骨２の先端が回動可能なように、可動接続部３を構成している。
【００１５】
中心軸２０上には、スライド移動可能とし前記各主骨１に連結する各副骨２の基端が連結された副骨可動スライド３０が装着されている。したがって、中心軸２０上を副骨可動スライド３０が移動することで、傘布１００の開閉ができる構造となっている。また、中心軸２０の上端には、副骨可動スライド３０が当接するストッパー部５が形成されている。
【００１６】
次に本発明の洋傘の特徴的な構成である中心軸２０に設けた折曲部４０の構造について、図１乃至図４を参照しながら説明する。
中心軸２０は、傘布の骨格となる複数の主骨１が先端に固定された上軸２１と、把持部１０が下端に固定される下軸２２とを前記上軸及び下軸内に嵌合する連結金具２３により連結して構成されている。連結金具２３中央には水平軸６１が突出して形成され、図３（ｂ）に示すように、この水平軸６１の両端が上軸２１（若しくは下軸２２）の端部の突起部７０に形成された孔７１に嵌合することで、上軸２１内壁（若しくは下軸２２内壁）に固定されている。すなわち、連結金具２３が中心軸２０の内壁に固定されるとともに、折曲中心Ｘとなる水平軸６１で回動して連結金具２３の位置の切り替えが可能な折曲部４０を形成している。上軸２１に突起部７０を形成した場合には、下軸２２側に対応する溝部７２が形成されている。
【００１７】
副骨可動スライド３０は、上軸側副骨可動スライド３１と下軸側副骨可動スライド３２とに分離して構成され、当接側にそれぞれ大径部３１a，３２aを形成している。上軸側副骨可動スライド３１の大径部３１a下側に各副骨２が放射状に接続されている。そして、連結金具２３は、例えば金属若しくは樹脂部材で円柱状に形成されて上軸２１内壁又は下軸２２内壁（すなわち中心軸２０の内壁）に固定するとともに、上軸収納側に傾斜部２４を形成して構成されている。この傾斜部２４は、傾斜面が上軸２１の内壁部分に当接可能な円弧面形状となっている。
【００１８】
前記下軸側副骨可動スライド３２の前記傾斜部２４と反対側位置には、水平面から下側に角度を取った楔状の切込溝３３が半円周位置に形成されている。
上軸２１内には中心を通る位置に内壁面より固定軸２１aが立設されて第１スプリング２５の一方の先端が固定され、他方が傾斜部２４先端部の中央溝２４a内の固定軸２４ｂに固定されることで、第１スプリング２５（弾性体）が懸架されている。この第１スプリング２５（弾性体）の弾性力により、上側副骨可動スライド３１に対して下軸側副骨可動スライド３２が折曲状態（図４）となる位置でその状態が維持できるようにすることで、上軸側副骨可動スライド３１に対して下軸側副骨可動スライド３２が可動連結され、上軸２１に対して下軸２２が傾斜可能に形成されている。
また、楔状の切込溝３３を閉じるための力を確実に付与するために、放射状に配置された各副骨２を押し下げる弾性力を補強するための押圧スプリング１０１を中心軸２０の上部に装着してもよい。
【００１９】
この例では、弾性体としてコイルスプリングで構成された第１スプリング２５を使用したが、図５に示すような平板弓状の板バネ５５を弾性体として使用してもよい。すなわち、上軸２１の内壁に軸方向に貫通溝５１を有する板バネ固定部５２を形成し、この板バネ固定部５２に板バネ５５の先端の平板部５５aが嵌合し、他端の円弧部５５ｂが連結金具２３の中央溝２４aに設けたＵ字溝５３に多少の隙間を存しさせて嵌合するようになっている。この場合、図５（ａ）（ｂ）に示すように、Ｕ字溝５３内で板バネ５５の先端が動くことにより、板バネ５５が右側又は左側に湾曲して接続金具２３を押える方們に力が作用するので、それぞれの位置でより確実に固定することが可能となる。
【００２０】
下軸２２には開口部２６が形成され、下軸２２内の溝部２７に一端側が固定され、前記開口部２６から他端が突出するストッパーレバー２８が装着されている。
【００２１】
また、把持部１０においては、図６に示すように、その表面の一箇所における上軸２１に対して下軸２２が傾斜する方向先に突起部１１が形成されている。また、図７に示すように、突起部１１に代えて、上軸２１に対して下軸２２が傾斜する方向に湾曲する湾曲部１２を形成してもよい。このような構成により、図６（ａ）及び図７（ａ）に示すように、把持部１０に対してどちらの方向に中心軸２０の上軸２１が折曲するのかを容易に把握することができ、洋傘をさす場合に傘布中心位置をコントロールして、傘布１００の中心に自ら（使用者Ａ）を位置させることができる。
【００２２】
次に、上記構造の洋傘の使用例について説明する。
閉じた状態の洋傘（中心軸は垂直状態）において、中心軸２０上で副骨可動スライド３０を移動させその内壁でストッパーレバー２８を開口部内に退避状態とし（図３）、更に副骨可動スライド３０を押し上げると、中心軸２０の上端のストッパー部５に当接する。この当接状態においては、折曲部４０の折曲中心Ｘが可動接続部３より一定距離（Ｌ１）内に位置させることで、副骨可動スライド３０を下側に付勢し、自らの弾性力により開口部２６から突出したストッパーレバー２８で副骨可動スライド（下軸側副骨可動スライド）の位置を固定する。
すなわち、可動接続部３が副骨可動スライド３０に対して距離Ｌ１の範囲に存在する場合、副骨可動スライド３０は主骨１及び副骨２の連結構造による弾性力で常時下側に押し下げられるので、ストッパーレバー２８の突出により副骨可動スライド３０が固定される。
【００２３】
また、この間に、楔状の切込溝３３部分をなくすように、上側副骨可動スライド３１に対して下軸側副骨可動スライド３２を折曲部４０（折曲中心Ｘ）において折曲し、第１スプリング２５が図３の状態から図４の状態に切り換わり、第１スプリング２５の弾性力でこの状態が維持され、中心軸２０の上方で折曲された洋傘とすることができる。また、押圧スプリング１０１を装着することにより、折曲した場合の安定度を確保することができる。
【００２４】
本発明の洋傘の第２の実施例について、図８乃至図１０を参照しながら説明する。各図において、図１乃至図４と同様の構成をとる部分については、同一符号を付している。中心軸２０の上端には、副骨可動スライド３０が当接するストッパー部６が形成されている。
この例の洋傘は、把持側解除のボタンを押すことで副骨可動スライド３０が自動的に移動して傘布が開くように動作するタイプに代表されるように、第１の実施例と異なり中心軸２０の上部におけるストッパーレバー２８が存在しない構造のものである。
このようなタイプの洋傘の場合、第１の実施例のようなストッパーレバー２８が存在しないが、下軸側副骨可動スライド３２を押し上げる力を主骨１及び副骨２の連結結合で発揮させることにより、下軸側副骨可動スライド３２が上軸側副骨可動スライド３１との接合状態を維持することができる。
【００２５】
また、この状態をより安定させるため、本例では、下軸側副骨可動スライド３２の外側大径３２ｂにスプリング固定用部３５を形成し、切込溝３３形成側における上軸側副骨可動スライド３１と前記下軸側副骨可動スライド３２を懸架する第２スプリング２９が装着されている。
これらの構造により、上軸側副骨可動スライド３１に対して下軸側副骨可動スライド３２を常時連結させることが可能となる。
また、上軸側副骨可動スライド３１及び下軸側副骨可動スライド３２の大径部３１ａ,３２ａには、第２スプリング２９が直線状態で配置できるように、中心軸に沿った方向に溝部３６が形成されている。
【００２６】
次に、上記構造の洋傘の使用例について説明する。
閉じた状態の洋傘（中心軸は垂直状態）において、中心軸２０上で副骨可動スライド３０を押し上げ続けると、中心軸２０の上端のストッパー部６に当接する。この当接状態においては、折曲部４０の折曲中心Ｘが可動接続部３より上部（図８では距離Ｌ２内）に位置させることで、副骨可動スライド３０を上側に付勢して副骨可動スライド３０の位置が固定される。
すなわち、副骨可動スライド３０に常時上方向へのバネ力（主骨１と副骨２との連結構造によるバネ力）が作用しているので、ストッパー部６に当接するまで副骨可動スライド３０が押し上げられ、可動接続部３より副骨可動スライド３０の上端が上側に位置する位置で副骨可動スライド３０が固定される。
【００２７】
また、この間に、第２スプリング２９の付勢力により上側副骨可動スライド３１に対して下軸側副骨可動スライド３２が折曲部４０（折曲中心Ｘ）において折曲し、第２スプリング２９の引張力により切込溝３３が閉じた状態となり（図９の状態から図１０の状態に切り換わり）、第２スプリング２９の弾性力でこの状態が維持され、中心軸２０の上方で折曲された洋傘とすることができる。
【００２８】
第２の例の構造によれば、中心軸を上方で折曲させる本発明構造を、把持側解除のボタンを押すことで副骨可動スライド３０が傘開閉用バネの弾性力で自動的に押し上げられる自動開閉傘に応用することができる。
【００２９】
本発明の洋傘の第３の実施例について、図１３を参照しながら説明する。図１３において、図３と同様の構成をとる部分については、同一符号を付している。図１３で示した構造について、図３と相違する部分を中心に説明する。
すなわち、この例では、連結金具２３の位置の切り替え手段として、第１スプリング２５の代わりに上軸２１内壁に一端が固定されて装着されるコイルスプリング８０と、このコイルスプリング８０により常時付勢されて連結金具２３の傾斜部２４の先端側に当接する球状体８１を配置して構成されている。
【００３０】
また、上軸側副骨可動スライド３１の下面と、下軸側副骨可動スライド３２の上面とは、それぞれ直径部分に傾斜面を形成して構成され、上軸側副骨可動スライド３１及び下軸側副骨可動スライド３２は、両側端部の所望位置に形成された蝶番機能を有する蝶番状連結部Ｐで連結固定されるように樹脂材で一体成形されている。
連結金具２３の先端側は、図１３（ｃ）に示すように、先細に形成することで、図１３（ａ）又は図１３（ｂ）の安定状態に積極的に移行させるように構成している。
また、下軸側副骨可動スライド３２の側面位置に設けられた縦孔部３８については、下述する第４の実施例で説明する。
【００３１】
上記構造によれば、中心軸２０上で副骨可動スライド３０を移動させた場合において、球状体８１が図１３（ｂ）の連結金具２３の傾斜面２４に接する状態から図１３（ａ）連結金具２３の側面部と接する状態に変化し、楔状の切込溝３３部分を閉じて上側副骨可動スライド３１に対して下軸側副骨可動スライド３２を折曲部４０（折曲中心Ｘ）において折曲させる。そして、コイルスプリング８０の弾性力でこの状態が維持され、中心軸２０の上方で折曲された洋傘とすることができる。また、折曲状態において、上軸側副骨可動スライド３１の下面の全体が、下軸側副骨可動スライド３２の上面に接触させることで、第１の実施例や第２の実施例に比較して接触面積を広くして折曲状態を安定させることができる。
【００３２】
次に本発明の洋傘の第４の実施例について、図１４及び図１３を参照しながら説明する。図１４において、図３と同様の構成をとる部分については、同一符号を付している。図１４で示した構造について、図３と相違する部分を中心に説明する。
すなわち、この例では、副骨可動スライド３０の下軸側副骨可動スライド３２の大径部３２ａの下側位置側面にストッパーレバー２８が嵌合可能な縦孔部３８を形成している。
【００３３】
上記構造によれば、図１５に示すように、閉じている傘（中心軸２０の下方に配置された収納ストッパーレバー１１０に下軸側副骨可動スライド３２の縦孔部３８が嵌合している状態）の収納ストッパーレバー１１０を押圧することで収納状態を解除して副骨可動スライド３０を主骨１，副骨２及びスプリング１０１の反発力に抗して最上部まで押し上げると、上記で説明したような連結金具２３の回動動作により切込溝３３が閉じ、折曲部４０で上軸側副骨可動スライド３１に対して下軸側副骨可動スライド３２が折曲された状態となり、ストッパーレバー２８が下軸側副骨可動スライド３２の下方で突出してこの状態が固定保持される（図１４（ａ））。
【００３４】
この状態からストッパーレバー２８を解除すると、主骨１，副骨２及びスプリング１０１の反発力で上軸側副骨可動スライド３１及び下軸側副骨可動スライド３２が下がり切込溝３３が開き、上軸側副骨可動スライド３１及び下軸側副骨可動スライド３２が垂直状態に戻る。
更に少し下げると、下軸側副骨可動スライド３２の縦孔部３８にストッパーレバー２８が嵌合し、上軸側副骨可動スライド３１及び下軸側副骨可動スライド３２が一般傘のような垂直状態で固定される（図１４（ｂ）及び（ｃ））。
【００３５】
したがって、上記構造によれば、折曲状態での固定（図１５における実線表示）と、この折曲状態より少しだけ傘布の開面積を狭めて通常の傘のような垂直状態での固定（図１５における点線表示）とを使い分けることが可能となる。例えば、風雨で前向きに傘をさすような場合は、垂直状態での固定が便利であり、このような場合に垂直状態で使用することができる。
この状態からストッパーレバー２８を解除し、上軸側副骨可動スライド３１及び下軸側副骨可動スライド３２を引き戻すと、縦孔部３８が収納ストッパーレバー１１０に嵌合し閉状態が保持される。
【図面の簡単な説明】
【００３６】
【図１】本発明の第１の実施例の洋傘の使用状態を示す模式図である。
【図２】洋傘を構成する主骨に対する傘布の貼着状態を示す平面説明図である。
【図３】（ａ）は第１の実施例の洋傘における折曲部の構造（垂直状態）を説明するための断面説明図、（ｂ）は折曲部を拡大した一部断面説明図である。
【図４】第１の実施例の洋傘における折曲部の構造（折曲状態）を説明するための断面説明図である。
【図５】（ａ）（ｂ）は、弾性体として板バネをしようした場合の折曲部の構造を示す断面説明図である。
【図６】把持部に突起部を設けた洋傘の使用状態を説明するためのものであり、（ａ）は平面説明図、（ｂ）は把持部及び中心軸部分の拡大平面説明図、（ｃ）は把持部の拡大側面説明図である。
【図７】把持部に湾曲部を設けた洋傘の使用状態を説明するためのものであり、（ａ）は平面説明図、（ｂ）は把持部及び中心軸部分の拡大平面説明図、（ｃ）は把持部の拡大側面説明図である。
【図８】本発明の第２の実施例の洋傘の使用状態を示す模式図である。
【図９】第２の実施例の洋傘における折曲部の構造（垂直状態）を説明するための断面説明図である。
【図１０】第２の実施例の洋傘における折曲部の構造（折曲状態）を説明するための断面説明図である。
【図１１】従来の洋傘をさした状態の平面説明図である。
【図１２】中心軸が偏心した構造を有する洋傘の構造説明図である。
【図１３】（ａ）乃至（ｃ）は、第３の実施例の洋傘における折曲部の構造（折曲状態又は垂直状態）を説明するための断面説明図である。
【図１４】（ａ）乃至（ｃ）は、第４の実施例の洋傘における折曲部の構造（折曲状態又は垂直状態）を説明するための外観説明図である。
【図１５】図１４の実施例の洋傘の全体構造を示す外観説明図である。
【符号の説明】
【００３７】
１  主骨
２  副骨
３  可動接続部
５  ストッパー部
６  ストッパー部
１０  把持部
１１  突起部
１２  湾曲部
２０  中心軸
２１  上軸
２２  下軸
２３  連結金具
２４  傾斜部
２５  第１スプリング（弾性体）
２６  開口部
２８  ストッパーレバー
２９  第２スプリング（スプリング）
３０  副骨可動スライド
３１  上軸側副骨可動スライド
３２  下軸側副骨可動スライド
３３  切込溝
３８  縦孔部
５５  板バネ
８０  コイルスプリング
８１  球状体
１０１  押圧スプリング
１１０  収納ストッパーレバー
Ｐ  蝶番状連結部
Ｘ  折曲中心
【図１】
2006051326.tif 000003
【図２】
2006051326.tif 000004
【図３】
2006051326.tif 000005
【図４】
2006051326.tif 000006
【図５】
2006051326.tif 000007
【図６】
2006051326.tif 000008
【図７】
2006051326.tif 000009
【図８】
2006051326.tif 000010
【図９】
2006051326.tif 000011
【図１０】
2006051326.tif 000012
【図１１】
2006051326.tif 000013
【図１２】
2006051326.tif 000014
【図１３】
2006051326.tif 000015
【図１４】
2006051326.tif 000016
【図１５】
2006051326.tif 000017